(57)【特許請求の範囲】
【請求項１】
基台（２）と、この基台（２）から立設された支柱（３）と、これら基台（２）と支柱（３）とを覆うように張られる筒状の火袋（１）とを有する提灯において、火袋（１）の下端部に内側に括れた括れ部（５）を有し、この括れ部（５）を基台（２）の周縁（９）に掛けてその外側に嵌め込み、火袋（１）の上端部に支柱（３）の上端に設けた火袋掛（１３）を着脱自在に掛ける支柱掛（７）を有し、支柱（３）の中間部にその火袋掛（１３）を上方に弾力を付勢する弾性部材（１８）を設けたことを特徴とする提灯。
【請求項２】
支柱（３）は、基台（２）から立設された下部支柱（１０）と、この下部支柱（１０）の上端に着脱自在に連結される上部支柱（１１）とを有し、この上部支柱（１１）は、その上端に火袋（３）の支柱掛（７）を掛ける火袋掛（１３）を有し、前記火袋（３）の支柱掛（７）には、火袋掛（１３）を含む上部支柱（１１）を通す挿入孔（２０）と同火袋掛（１３）を掛けるスリット（２１）とを有することを特徴とする請求項１に記載の提灯。
【発明の詳細な説明】
【技術分野】
【０００１】
本発明はいわゆる火皿と呼ばれる基台と、この基台から立設された支柱と、これら基台と支柱とを覆うように張られる筒状の火袋とを有する提灯に関する。さらに詳しくは、簡単に組み立て、分解が可能であり、それ故、様々な状態、形態で使用することが可能であり、葬祭用としてはもちろん、照明、広告、装飾等、様々な分野で簡便に使用出来る提灯に関する。
【背景技術】
【０００２】
提灯には、床置き形、吊り下げ形、弓張り形等、様々のものがあるが、提灯本体は基本的には共通する構造となっている。竹ひごをで骨組みを作り、その外側に和紙や絹布等を張り、筒状の火袋を作る。この火袋の上下の口部分に輪状の上輪と下輪を取り付けたのが提灯の本体となる。
【０００３】
さらに例えば行灯形の盆提灯であれば、ロクロや火皿と呼ばれる基台に上足と呼ばれる２本の支柱を立て、この支柱を覆うように前記の筒状の火袋を嵌め込む。基台は一般的には円板状で中心部に蝋燭や電灯を立てるための突起や孔を有し、下面に下足と呼ばれる通常３本の脚を取り付ている。支柱は火皿の上面に通常は二本立設され、その上端に提灯の上輪を紐で吊り下げ、雲手と呼ばれる横梁で支柱の上端を互いに固定する。提灯の下輪は留め金等で基台に固定する。提灯を分解するときは、この逆の手順で雲手、火袋、支柱、火皿を分離し、火袋を折り畳んで箱等に収納する。
【０００４】
また、吊り下げ形の盆提灯では、手板と呼ばれる横棒に提灯の上輪を紐で吊し、手板を天井或いは柱等から吊り下げる。さらに、祭に多く使用される祭提灯では、手板は使わず、上輪を軒や天井から吊り下げて使用する。迎え提灯や携帯用提灯に使用される弓張り形の提灯は、弓状の取っ手の両端に提灯の上輪と下輪を固定して使用する。これらの提灯の場合、下輪の底板が火皿として使用される。
提灯にはこのように様々な形態、があるが基本的に取付形態に違いがあるだけで、提灯本体そのものは、火袋の上下の口に上輪と下輪を取り付けた構造であることに違いは無い。
【０００５】
各種の提灯は、歴史的背景があってそれらの設置形態が考案され、発展してきたものであるが、何れも火皿や支柱への取り付け、取り外しが複雑で面倒であるという課題がある。また、床置き形のものは床置き、吊り下げ形のものは吊り下げと、使用形態が限定され、任意の使用形態を選択することが出来なかった。
【特許文献１】特開２００３−２７５０９０号公報
【特許文献２】特開２００２−３１９３０２号公報
【特許文献３】特開２００１−２１８６７０号公報
【特許文献４】特開平９−９７５０４号公報
【発明の開示】
【発明が解決しようとする課題】
【０００６】
本発明は、前記従来の提灯が有する課題に鑑み、提灯本体とそれを固定する部材との組み立て、分解が簡単で、様々な形態で使用することが出来、葬祭用としてはもちろん、照明、広告、装飾等、様々な分野で簡便に使用出来る提灯を提供することを目的とする。
【課題を解決するための手段】
【０００７】
本発明では、前記の目的を達成するため、火袋１の上下の口部分に上輪や下輪を設けず、まず火袋１の下の口部分については、内側に括れた括れ部５を設け、この括れ部５を基台２の縁に掛けて固定する。他方、火袋１の上端の口部分には、支柱掛７を設け、この支柱掛７に基台２から立設した支柱３の上端を着脱自在に掛ける。さらに、支柱３の中間部に設けた弾性部材１８により、支柱３の上端を上方を弾力的に押し上げ、火袋１にテンションを与え、その形を保つ。
【０００８】
すなわち、本発明による提灯は、基台２と、この基台２から立設された支柱３と、これら基台２と支柱３とを覆うように張られる筒状の火袋１とを有する。火袋１の下端部に内側に括れた括れ部５を有し、この括れ部５を基台２の周縁９に掛けてその外側に嵌め込み、火袋１の上端部に支柱３の上端に設けた火袋掛１３を着脱自在に掛ける支柱掛７を有し、支柱３の中間部にその火袋掛１３を上方に弾力を付勢する弾性部材１８を設けている。
【０００９】
より具体的には、支柱３は、基台２から立設された下部支柱１０と、この下部支柱１０の上端に着脱自在に連結される上部支柱１１とを有し、この上部支柱１１は、その上端に火袋３の支柱掛７を掛ける火袋掛１３を有し、前記火袋３の支柱掛７には、火袋掛１３を含む上部支柱１１を通す挿入孔２０と同火袋掛１３を掛けるスリット２１とを有する。
【００１０】
このような本発明による提灯では、火袋１の上下の口部分に上輪や下輪が必要なくなり、火袋１の括れ部５を基台２の周縁９に掛けることで、火袋１を基台２に直接取り付けることが出来る。従って、簡単に組み立てることが出来、逆の手順で簡単に分解することが出来る。
【００１１】
さらに、火袋１の上端の口部分に設けた支柱掛７に基台２から立設した支柱３の上端を着脱自在に掛け、支柱３の中間部に設けた弾性部材１８により、支柱３の上端を上方を弾力的に押し上げ、火袋１にテンションを与えることにより、火袋１の形を整え、保持することが出来る。
このような提灯は、全てが火袋１の中に収まってしまうので、火袋１が円筒状のものであれば、立てた状態はもとより、横に寝かせた状態で床置き出来る他、支柱３の上端を吊り下げることで、吊り下げ形の提灯としても使用することが出来る。すなわち、目的に応じて様々な状態で使用することが出来る。
【発明の効果】
【００１２】
以上説明した通り、本発明による提灯では、簡単に組み立て、分解が出来ると共に、その設置形態も任意に選べることが出来るので、葬祭、広告、祭礼等の目的で適宜形態を選んで使用することが出来る。また、表面に施した模様、図柄、文字等が異なる火袋１を幾つか用意しておいて、基台２と支柱３に取り付けることにより、適宜使用目的を変えて使用することが出来る。さらに、基台２に取り付けた支柱３の高さを変えることで、異なる形状の火袋を同じ基台２で使用出来る等、使用形態のバリエーションを多岐にすることも出来る。
【発明を実施するための最良の形態】
【００１３】
本発明では、火袋１の上下の口部分に上輪や下輪を設けず、火袋１の上下の口部分を基台２と支柱３の上端に直接取り付け、支柱３に設けた弾性部材１８により火袋１にテンションを与え、火袋１の形を整えて保持出来るようにした。
以下、本発明を実施するための最良の形態について、実施例をあげて詳細に説明する。  
【００１４】
図１と図２に、本発明の一実施例による提灯の全体を示しており、図３〜図６に同実施例による提灯の各部の拡大図を示している。これらの図に示すように、提灯は、火袋１、基台２及び支柱３からなる。
火袋１は、提灯の外形を形成するものである。この火袋１は、型を使って竹ひご等の線材で作った多数の輪を上下に並べて配置するか、或いは型を使って１本につなぎ合わせた線材を上下に螺旋状に配置する等して、骨組みを形成し、その外側に紙や布等を貼ったものである。底部は開口した口になっており、その部分は線材の輪からなる骨組みを密に重ねてある。従って底部４は、その上の部分と同様に、何の力も与えないと円形になっているが、径方向に力を加えると扁平させることが出来る等、可撓性を有する。その底部４の口より上の部分は、底部４の部分より漸次径が大きくなって、外側に曲面をもってふくらみが与えられている。逆に言うと、火袋１の底部４の上の部分は、底部４に向かって下にいくに従って漸次径が細くなり、底部４とその上の部分とが括れた状態の括れ部４となっている。
【００１５】
さらにこの火袋１の上端部は、開口した口になっており、その部分は線材の輪からなる骨組みを密に重ねてある。さらにこの火袋１の上端部の口には、円板状の支柱掛７が嵌め込まれ、接着等の手段で固定されている。この支柱掛７の詳細を図４と図５に示している。この支柱掛７は、中心から偏って比較的径の大きな挿入孔２０が設けられ、この挿入孔２０から支柱掛７の中心に向かってその挿入孔２０の径より幅の狭いスリット２１が設けられている。
【００１６】
図１〜図３に示すように、基台２は、火皿やロクロと呼ばれるもので、火袋の括れ部５に対応し、それと同じかやや小さな寸法を有する板状の部材である。図示の例では、円板形であり、その周縁９は丸く面取りされている。この基台２の下面には３〜４個程度の突起状の脚１９が設けられているが、この脚１９は提灯の使用目的により、不要であったり、或いはより長い脚が使用される場合もある。
【００１７】
基台２の中央からは支柱３が立設されている。この支柱３はパイプ状のもので、基台２からネジ止め等の手段で立設された下部支柱１０と、その上端に着脱自在に嵌め込まれた上部支柱１１の２段構造となっている。従って、上部支柱１１の少なくとも下端部の外径は、下部支柱１０の少なくとも上端部の内径より僅かに細くなっている。
【００１８】
図６に示すように、下部支柱１０の上端部近くには、弾性部材１８として圧縮バネが組み込まれている。この弾性部材１８は、下部支柱１０の上端に嵌め込まれた上部支柱１１の下端に当たり、上部支柱１１が下方に押し込まれると、その押し込まれた深さに比例した弾力が付勢される。また、この下部支柱１０には、提灯の灯としての照明８が取り付けられている。例えば、この照明８は円筒形の蛍光管が発光するタイプのもので、基台２の上に設置された電源部１６により点灯等の制御が行われる。この灯としては、別のタイプの照明であってもよく、下部支柱１０に取り付けられたものに限らず、基台２に設けたソケットに差し込む形式のもの等であってもよい。
【００１９】
図４に示すように、上部支柱１１の上端には、火袋３の支柱掛７を着脱自在に掛ける火袋掛１３が取り付けられている。この火袋掛１３は、ワッシャ等からなるフランジ１４を基部に設け、その上に頭部１５を設けたピン状のもので、上部支柱１１の上端にネジ等の手段で取り付けられている。図５に示すように、上部支柱１１の上端の火袋掛１３の基部のフランジ１４は、火袋１の上端の支柱掛７の挿入孔２０より径が小さい。また、その火袋掛１３のフランジ１４の径は、火袋１の上端の支柱掛７のスリット２１の幅より大きく、火袋掛１３の軸径は、支柱掛７のスリット２１の幅より小さい。
【００２０】
次に、このような構成からなる提灯について、基台２と支柱３とに火袋１を取り付ける手順について説明する。
まず予め、図１に示すように、支柱３の下部支柱１０から上部支柱１１を取り外しておく。この状態で火袋１を上下にやや折り畳み気味にした状態で、下部支柱１０を火袋１の底部４からその中に挿入し、続いて火袋１の底部４をやや変形させると共に、基台２をやや斜めに傾けながらその基台２を火袋１の底部４から火袋１の中に挿入する。そして、基台２の周縁９が火袋１の底部の括れ部５に落ち着くようにその姿勢を整える。
【００２１】
次に、支柱３の上部支柱１１を、火袋１の支柱掛７の挿入孔２０を通して同火袋１の中に挿入し、その上部支柱１１の下端を下部支柱１０の上端に差し込む。続いて上部支柱１１を弾性部材１８の弾力に抗して押し込むと共に、火袋１を上に伸ばし、火袋掛１３の頭部１５を支柱掛７の挿入孔２０からその上に突出させ、続いて、火袋掛１３の軸をスリット２１の奥に差し込む。この状態で上部支柱１１の押し込みを解除し、弾性部材１８の弾力でフランジ１４を火袋１の支柱掛７に当て、その弾力で火袋１の支柱掛７を上方につり上げることで、火袋１にテンションを与える。この状態では、火袋１の底部の括れ部５に基台２の周縁９が掛かり、火袋１の支柱掛７に弾性部材１８により上方にテンションが与えられるため、火袋１の形を整え、維持することが出来る。
【００２２】
この提灯では、脚部１９により床置き形の提灯として使用出来る他、火袋１を横にして床に転がしたり、さらには、火袋掛１３の頭部を紐で縛って吊り下げる等、吊り下げ形としても使用することが出来る。
火袋１を基台２と支柱３から分解するときは、前記とは逆の手順で行う。すなわち、火袋掛１３の軸をスリット２１から挿入孔２０側に移動させ、火袋１の支柱掛７から支柱３の火袋掛１３を外す。その後、火袋１を下方に折り畳み気味にしながら、支柱３の下部支柱１０から上部支柱１１を抜く。続いて、火袋１の底部４をやや変形させると共に、基台２を火袋１の底部に対してやや斜めにしながら、基台２を火袋１の底部の口から取り出し、支柱３の下部支柱１０も取り出す。これにて図１の状態となる。火袋１は縦に折り畳み、基台２から下部支柱１０を取り外すとさらにコンパクトに分解することが出来る。
【図面の簡単な説明】
【００２３】
【図１】本発明による提灯の一実施例を示す基台と下部支柱を組み立て、上部支柱と火袋を分解した状態の縦断側面図である。
【図２】本発明による提灯の一実施例を示す基台、支柱及び火袋を組み立てた状態の縦断側面図である。
【図３】本発明による提灯の一実施例を示す基台及び火袋の底部を拡大した要部拡大縦断側面図である。
【図４】本発明による提灯の一実施例を示す支柱と火袋の上端部分を拡大した要部拡大縦断側面図である。
【図５】本発明による提灯の一実施例を示す支柱と火袋の上端部分を拡大した要部拡大平面図である。
【図６】本発明による提灯の一実施例を示す支柱の下部支柱と上部支柱を継ぎ合わせた部分を拡大した要部拡大縦断面図である。
【符号の説明】
【００２４】
１    火袋
２    基台
３    支柱
５    火袋の括れ部
７    火袋の支柱掛
９    基台の周縁
１０  下部支柱
１１  上部支柱
１３  支柱の火袋掛
１８  支柱の弾性部材
２０  支柱掛の挿入孔
２１  支柱掛のスリット
【図１】
0004403148.tif 000002
【図２】
0004403148.tif 000003
【図３】
0004403148.tif 000004
【図４】
0004403148.tif 000005
【図５】
0004403148.tif 000006
【図６】
0004403148.tif 000007